(57)【要約】      （修正有）【課題】紙等の薄肉物の端部に、簡単に固定可能で、柔軟に屈曲する物にも固定でき、好きな場所や便利な場所にペンホルダーを簡便に設けることができ、さらに、固定位置を容易に変更することも可能であるクリップ付きペンホルダーを提供する。【解決手段】クリップ付きペンホルダーは、クリップ部２と、ペンホルダー部１とを備え、クリップ部２の長手方向に沿ってペンホルダー部１の長手方向を固定し、クリップ部２の挟持端側にペンホルダー部１のペン挿入開口が設けられる。【選択図】図１
0003196181.tif 000002
【実用新案登録請求の範囲】
【請求項１】
クリップ部と、
ペンホルダー部と、
を備え、
上記クリップ部の長手方向に沿って上記ペンホルダー部の長手方向を固定し、
上記クリップ部の挟持端側に上記ペンホルダー部のペン挿入開口が設けられた
ことを特徴とするクリップ付きペンホルダー。
【請求項２】
上記クリップ部は、一対の挟持部材とばねにより構成され、
上記一対の挟持部材の一方の裏面長手方向に沿って上記ペンホルダー部の長手方向を固定し、
上記クリップ部の挟持端側に上記ペンホルダー部のペン挿入開口が設けられた
ことを特徴とする請求項１に記載のクリップ付きペンホルダー。
【請求項３】
上記一対の挟持部材の一方とペンホルダー部とは一体で形成された
ことを特徴とする請求項２に記載のクリップ付きペンホルダー。
【考案の詳細な説明】
【技術分野】
【０００１】
本考案は、紙等の薄肉物端部に着脱可能に固定できるペンホルダーに関するものである。
【背景技術】
【０００２】
ペンホルダーは、ボールペンや鉛筆等の筆記具を入れ、筆記具を使用したい時にすぐに利用できるといった便益性を有するため、一般に広く用いられている。机上に置いて使用するタイプが良く用いられている。
【０００３】
机上に置いて使用するタイプの他、様々なタイプのペンホルダーが提案されている。
例えば、自動車等の車内で整理ができ、使用がし易く、便利が良い構造のペンホルダーを提供することを目的とし、真空固着手段を備えたペンホルダーが開示されている。（例えば、特許文献１）。
【先行技術文献】
【特許文献】
【０００４】
【特許文献１】実用新案登録第３０２３２１２号
【考案の概要】
【考案が解決しようとする課題】
【０００５】
上述した特許文献１に開示されているペンホルダーは、真空固着手段を用いてペンホルダーを固定するため、樹脂や金属といった固形体で且つ滑らかな面を有する物にしか固定できなかった。
【課題を解決するための手段】
【０００６】
本考案の請求項１に係るクリップ付きペンホルダーは、クリップ部と、ペンホルダー部とを備え、上記クリップ部の外側の長手方向に沿って上記ペンホルダー部の長手方向を固定し、上記クリップ部の挟持端側に上記ペンホルダー部のペン挿入開口が設けられたことを特徴とする。
【０００７】
本考案の請求項２に係るクリップ付きペンホルダーは、上記クリップ部が、一対の挟持部材とばねにより構成され、上記一対の挟持部材の一方の裏面長手方向に沿って上記ペンホルダー部の長手方向を固定し、上記クリップ部の挟持端側に上記ペンホルダー部のペン挿入開口が設けられたことを特徴とする。
【０００８】
本考案の請求項３に係るクリップ付きペンホルダーは、上記一対の挟持部材の一方とペンホルダー部とが一体で形成されたことを特徴とする。
【考案の効果】
【０００９】
本考案に係るクリップ付きペンホルダーは、上記のように構成されているので、クリップ部によって、紙等の薄肉物の端部に、簡単に固定できるので、柔軟に屈曲する物にも固定でき、好きな場所や便利な場所にペンホルダーを簡便に設けることができる。
また、固定位置を容易に変更することも可能である。
特に、カレンダーの下端に取り付ければ、カレンダーに予定を書きこむための筆記具をすぐに使用できる状態を得ることが可能である。また、カレンダーを翌月のページに替える際にも、容易に着脱して、新たなページに取り付けることができる。
【図面の簡単な説明】
【００１０】
【図１】本考案に係るクリップ付きペンホルダーの側面図である。
【図２】本考案に係るクリップ付きペンホルダーのペンホルダー部である。
【図３】本考案に係るクリップ付きペンホルダーのクリップ部を構成する一対の挟持部である。
【図４】本考案に係るクリップ付きペンホルダーのクリップ部を構成するばねである。
【図５】本考案に係るクリップ付きペンホルダーの使用方法の一例を示すである。
【図６】本考案に係るクリップ付きペンホルダーの一体型の側面図である。
【図７】本考案の実施の形態２に係るクリップ付きペンホルダーの側面図である。
【考案を実施するための形態】
【００１１】
実施の形態１．
本考案に係る定規の構成等に関して、以下において、図面を用いて説明する。なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００１２】
まず、図を用いて、本考案に係るクリップ付きペンホルダーの構成について説明する。
図１は本考案に係るクリップ付きペンホルダーの側面図である。
クリップ付きペンホルダーは、ペンホルダー部１とクリップ部２から構成されている。
【００１３】
ペンホルダー部１は、図２に示すように、上部にペン挿入開口１ａが設けられ、ここから筆記具を入れる。ペンホルダー部１の材質は特に問わず、樹脂であっても良いし、金属や木材であっても良い。あるいは布製や段ボール製のものであっても良い。
【００１４】
クリップ部２は、図１に示すように、洗濯バサミと同様の構成であり、一対の挟持部材である挟持部材２１、２２と、それらを結合し、物を挟む力を付与するばね２３とから構成されている。
挟持部材２１、２２は、樹脂であっても良いし、金属や木材であっても良い。
また、ばね２３は、本実施の形態においては、トーションばねを用いた。
【００１５】
挟持部材２１、２２は、図３に示すように、物を挟み込む部分である挟持部２１ａ、２２ａ、指で開閉操作を行う部分である操作部２１ｂ、２２ｂ、ばねの中心部分が入るスペースとなる窪みであるばね中心用凹部２１ｃ、２２ｃ、ばねの屈曲部が入るスペースとなる窪みであるばね屈曲部用凹部２１ｄ、２２ｄ等から構成されている。
【００１６】
また、ペンホルダー部１と接する挟持部材２１の裏面２１ｅは、接着等の方法によりペンホルダー部１を固定する面となる。この裏面２１ｅの長手方向に沿って、ペンホルダー部１の長手方向を固定する。その際には、クリップ部２の挟持端側に上記ペンホルダー部１のペン挿入開口１ａが設けられるようにする。
【００１７】
ばね２３は、トーションばねであり、図４に示す構造を有する。図４において、（ａ）は側面図、（ｂ）は正面図である。
ばね２３は、弾性力を発揮するばね中心部２３ａ、その両端からそれぞれ伸びるアーム２３ｂ、２３ｄ、およびそれぞれのアームから略直角に屈曲した屈曲部２３ｃ、２３ｅからなる。
【００１８】
以上に述べた挟持部材２１、２２とばね２３とを図１のように組み立てることで、クリップ部２が出来上がる。そして、このクリップ２とペンホルダー部１とを接着等により固定すれば、本考案に係るクリップ付きペンホルダーが完成する。
【００１９】
次に、クリップ付きペンホルダーの使用方法の一例について、図５を用いて説明する。
図５に示すように、壁に掛けられたカレンダーの下端をクリップ部２で挟み込むことで、簡単に取付けできる。ペンホルダー部１に入れた筆記具を用いて、カレンダーに予定を書きこむことができる。
カレンダーを翌月のページに替える際には、クリップ部２を開いてカレンダーの下端からクリップ付きペンホルダーを外し、ページを替えた後に、同様に取り付ければ良い。
【００２０】
また、クリップ付きペンホルダーの構成は、上述した構成に限るものでは無く、図６に示すように、ペンホルダー部１と挟持部材２１とを一体に形成しても良い。例えば、樹脂の射出成型や、木材の切り出しによって一体に作成すれば良い。このように一体化させることで、部品点数が減り、組立工程の簡素化が可能となる。
【００２１】
以下、本考案の特長についてまとめる。
本考案に係るクリップ付きペンホルダーは、上記のように構成されているので、クリップ部によって、紙等の薄肉物の端部に、簡単に固定できるので、柔軟に屈曲する物にも固定でき、好きな場所や便利な場所にペンホルダーを簡便に設けることができる。
また、固定位置を容易に変更することも可能である。
特に、カレンダーの下端に取り付ければ、カレンダーに予定を書きこむための筆記具をすぐに使用できる状態を得ることが可能である。また、カレンダーを翌月のページに替える際にも、容易に着脱して、新たなページに取り付けることができる。
【００２２】
実施の形態２．
本考案の実施の形態２に係るクリップ付きペンホルダーの構成等に関して、以下において、図７を用いて説明する。実施の形態１と異なる点は、クリップ部２がクリップ部２００に変更されている点である。
【００２３】
クリップ部２は洗濯バサミ形のクリップであったが、クリップ部２００は万年筆やボールペン等に設けられているタイプのクリップである。
ペンホルダー部１とクリップ部２００とは、実施の形態１と同様に、クリップ部２００の長手方向に沿ってペンホルダー部１の長手方向を固定し、クリップ部２００の挟持端側に上記ペンホルダー部のペン挿入開口が設けられるようにすれば良い。ここで、挟持端側とは、クリップ部２００により被挟持物を挟持する際に、被挟持物が存在する方向を指す。すなわち、図１や図７においては、図の上側を指す。
【００２４】
ペンホルダー部１とクリップ部２００との固定方法は、接着を用いても良いし、図７に示すように、ペンホルダー部１の側面に細長いポケットを設け、そこにクリップ部２００の一端を挿入するようにしても良い。
【００２５】
このタイプのクリップ付きペンホルダーにおいても、実施の形態１で示したクリップ付きペンホルダーと同様の効果が得られる。
【符号の説明】
【００２６】
１    ペンホルダー部
１ａ  ペン挿入開口
２、２００    クリップ部
２１、２２  挟持部材
２１ａ、２２ａ  挟持部
２１ｅ  裏面
２３  ばね
【図１】
0003196181.tif 000003
【図２】
0003196181.tif 000004
【図３】
0003196181.tif 000005
【図４】
0003196181.tif 000006
【図５】
0003196181.tif 000007
【図６】
0003196181.tif 000008
【図７】
0003196181.tif 000009